(57)【要約】【課題】複数のフォーカスエリアを有するＡＦ方式であっても、任意のフォーカスエリアで、ＭＦ操作によって焦点合わせを行うことができる合焦装置、光学機器を提供する。【解決手段】カメラ１０は、被写体の画像を表示し、複数のフォーカスエリア４２を有する表示部４０と、フォーカスエリア４２での焦点を検出するデフォーカス量検出器２０と、撮影者の操作に応じて、表示部４０の複数のフォーカスエリア４２のうち少なくとも１つを選択するフォーカスエリア選択キー１２と、撮影者の操作に応じて、フォーカスレンズ３１を光軸方向に移動して、焦点調節をするＭＦ操作環３２と、ＭＦ操作環３２によってフォーカスレンズ３１が移動した状態において、フォーカスエリア選択キー１２によって選択されたフォーカスエリア４２でのデフォーカス量を表示する焦点情報バー４６とを備える。【選択図】図１
2013178324.tif 000002
【特許請求の範囲】
【請求項１】
被写体の画像を表示し、複数のフォーカスエリアを有する表示部と、
前記各フォーカスエリアでの焦点を検出する焦点検出部と、
撮影者の操作に応じて、前記表示部の複数のフォーカスエリアのうち少なくとも１つを選択するエリア選択操作部と、
撮影者の操作に応じて、フォーカスレンズを光軸方向に移動して、焦点調節をするマニュアル操作部と、
前記マニュアル操作部によって前記フォーカスレンズが移動した状態において、前記エリア選択操作部によって選択されたフォーカスエリアでのデフォーカス量を表示するフォーカス表示部と、
を備える合焦装置。
【請求項２】
請求項１に記載の合焦装置において、
前記フォーカス表示部は、被写体の前後へのデフォーカス量を表示すること、
を特徴とする合焦装置。
【請求項３】
請求項１又は請求項２に記載の合焦装置において、
前記フォーカス表示部は、フォーカスエリアを拡大表示し、スプリットイメージ及びマイクロプリズムの少なくとも１つを模して表示すること、
を特徴とする合焦装置。
【請求項４】
請求項１から請求項３までのいずれか１項に記載の合焦装置において、
前記エリア選択操作部は、前記撮影者が前記表示部の画面上を指定することによりフォーカスエリアを選択すること、
を特徴とする合焦装置。
【請求項５】
被写体の撮像画像を表示する表示部と、
前記撮像画像の表示領域全域のデフォーカス量を検出する焦点検出部と、
撮影者の操作に応じて、フォーカスレンズを光軸方向に移動して、焦点調節をするマニュアル操作部と、
前記マニュアル操作部によって前記フォーカスレンズが移動した状態において、焦点検出部の出力に基づいて前記撮像画像の表示領域全域のデフォーカス量を判定し、デフォーカス量に応じて濃淡を、前記撮像画像に重ねて前記表示部に表示する制御部と、
を備える合焦装置。
【請求項６】
請求項１から請求項５までのいずれか１項に記載の合焦装置を備える光学機器。
【発明の詳細な説明】
【技術分野】
【０００１】
本発明は、撮影光学系の焦点を合わせる合焦装置、光学機器に関するものである。
【背景技術】
【０００２】
従来、複数の測距点におけるデフォーカス量を表示して、ＭＦ（マニュアルフォーカス）で被写体を選択し、ＡＦ（オートフォーカス）で調整するカメラがあった（特許文献１）。
しかし、このカメラは、ＡＦ式のカメラで、従来のＭＦ操作のように焦点を合わせたいという撮影者の要望に応えるものではなかった。
【先行技術文献】
【特許文献】
【０００３】
【特許文献１】特開２００８−１７０６４５号公報
【発明の概要】
【発明が解決しようとする課題】
【０００４】
本発明の課題は、複数のフォーカスエリアを有するＡＦ方式であっても、任意のフォーカスエリアで、ＭＦ操作によって焦点合わせを行うことができる合焦装置、光学機器を提供することである。
【課題を解決するための手段】
【０００５】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００６】
第１の発明は、被写体の画像を表示し、複数のフォーカスエリア（４２，２４２）を有する表示部（４０，２４０）と、前記各フォーカスエリアでの焦点を検出する焦点検出部（２０，１８）と、撮影者の操作に応じて、前記表示部の複数のフォーカスエリアのうち少なくとも１つを選択するエリア選択操作部（１２）と、撮影者の操作に応じて、フォーカスレンズ（３１）を光軸方向に移動して、焦点調節をするマニュアル操作部（３２）と、前記マニュアル操作部によって前記フォーカスレンズが移動した状態において、前記エリア選択操作部によって選択されたフォーカスエリアでのデフォーカス量を表示するデフォーカス量表示部（４６，２４３）と、を備える合焦装置である。
第２の発明は、請求項１に記載の合焦装置において、前記デフォーカス量表示部（４６，２４３）は、被写体の前後へのデフォーカス量を表示すること、を特徴とする合焦装置である。
第３の発明は、請求項１又は請求項２に記載の合焦装置において、前記デフォーカス量表示部（２４３）は、フォーカスエリアを拡大表示し、スプリットイメージ及びマイクロプリズムの少なくとも１つを模して表示すること、を特徴とする合焦装置である。
第４の発明は、請求項１から請求項３までのいずれか１項に記載の合焦装置において、前記エリア選択操作部（２４０）は、前記撮影者が前記表示部（２４０）の画面上を指定することによりフォーカスエリアを選択すること、を特徴とする合焦装置である。
第５の発明は、被写体の撮像画像を表示する表示部（３４０）と、前記撮像画像の表示領域全域のデフォーカス量を検出する焦点検出部（１８）と、撮影者の操作に応じて、フォーカスレンズ（３１）を光軸方向に移動して、焦点調節をするマニュアル操作部（３２）と、前記マニュアル操作部によって前記フォーカスレンズが移動した状態において、焦点検出部の出力に基づいて前記撮像画像の表示領域全域のデフォーカス量を判定し、デフォーカス量に応じて濃淡（３４７）を、前記撮像画像に重ねて前記表示部に表示する制御部（２２１）と、を備える合焦装置である。
第６の発明は、請求項１から請求項５までのいずれか１項に記載の合焦装置を備える光学機器である。
【発明の効果】
【０００７】
本発明によれば、複数のフォーカスエリアを有するＡＦ方式であっても、任意のフォーカスエリアで、ＭＦ操作によって焦点合わせを行うことができる合焦装置、光学機器を提供することができる。
【図面の簡単な説明】
【０００８】
【図１】第１実施形態のカメラ１０及び交換レンズ３０の構成を説明する図である。
【図２】第１実施形態のファインダ１７をのぞいたときに観察される表示部４０のイメージ図である。
【図３】カメラ１０の動作を示すフローチャートである。
【図４】第２実施形態のカメラ２１０及び交換レンズ３０の構成を説明する図である。
【図５】第２実施形態のファインダ１７をのぞいたときに観察される表示部２４０のイメージ図である。
【図６】第３実施形態の表示部３４０のイメージ図である。
【発明を実施するための形態】
【０００９】
以下、図面等を参照して、本発明の実施形態をあげて、さらに詳しく説明する。
（第１実施形態）
図１は、第１実施形態のカメラ１０及び交換レンズ３０の構成を説明する図である。
カメラ１０は、ＡＦ（オートフォーカス）機能を有するデジタル一眼レフカメラである。交換レンズ３０は、カメラ１０にバヨネット結合等により着脱可能に装着される。カメラ１０及び交換レンズ３０は、電気接点（図示せず）により電気的に接続され、相互に信号に伝達をすることができる。
【００１０】
カメラ１０は、フォーカスモード選択ボタン１１、フォーカスエリア選択キー１２、レリーズボタン１３、ミラー１４、スクリーン１５、ペンタプリズム１６、撮像素子１８、サブミラー１９、デフォーカス量検出器２０、制御部２１とを備えている。
フォーカスモード選択ボタン１１、フォーカスエリア選択キー１２、レリーズボタン１３は、撮影者が操作する操作部である。各ボタンの操作情報は、制御部２１に出力される。
フォーカスモード選択ボタン１１は、ＡＦモード及びＭＦ（マニュアルフォーカス）モードを切り替えるボタンである。
フォーカスエリア選択キー１２は、ＭＦ時にフォーカスエリア４２（図２参照）を選択するボタンである。フォーカスエリア選択キー１２は、例えば上下左右の各方向を選択できるキーを備える。
レリーズボタン１３は、撮影を実行するときに操作するボタンである。
【００１１】
ミラー１４は、交換レンズ３０からの光束を、被写体観察時には、反射してペンタプリズム１６の方向に導き、露光時には、撮影光路から退避して撮像素子１８の方向に導くクイックリターンミラーである。ミラー１４は、その一部がハーフミラーになっており、交換レンズ３０からミラー１４を透過した光束を、サブミラー１９の方向に導く。
スクリーン１５は、ミラー１４からの被写体の光束を結像する部材である。スクリーン１５上には、測距点に対応したフォーカスエリア４２（図２参照）が設けられている。
ペンタプリズム１６は、スクリーン１５に結像された被写体像を正立像に変換して、撮影者がのぞくファインダ１７に導くプリズムである。
【００１２】
撮像素子１８は、露光時に結像された被写体像を電気信号に変換するものであり、例えば、ＣＣＤ、ＣＭＯＳ等の光電変換素子である。
サブミラー１９は、ミラー１４のハーフミラー部分を透過してきた光を反射して、デフォーカス量検出器２０の方向に導くための部材である。
デフォーカス量検出器２０は、ミラー１４、サブミラー１９によって導かれた被写体光束に基づいて、交換レンズ３０の撮影光学系の焦点調節状態を検出する焦点検出モジュールである。
【００１３】
制御部２１は、カメラ１０を統括的に制御するための制御部であり、ＣＰＵ（中央処理装置）等から構成される。制御部２１は、記憶部（図示せず）に記憶された各種プログラムを適宜読み出して実行することにより、前述したハードウェアと協働し、本発明に係る各種機能を実現している。
制御部２１は、デフォーカス量算出部２１ａ、ＭＦ制御部２１ｂを備える。
デフォーカス量算出部２１ａは、デフォーカス量検出器２０の出力に基づいて、各フォーカスエリア４２（図２参照）内の焦点調節状態を判定する制御部である。
ＭＦ制御部２１ｂは、ＭＦモード時の制御を行う制御部である。
各制御部２１の動作の詳細は、後述する。
【００１４】
交換レンズ３０は、フォーカスレンズ３１、ＭＦ操作環３２、フォーカスレンズ駆動モータ３３を備える。
フォーカスレンズ３１は、焦点調節用のレンズである。フォーカスレンズ３１は、光軸Ｏに沿った方向に移動可能に、交換レンズ３０のレンズ鏡筒に収容されている。フォーカスレンズ３１は、複数のレンズによって構成されていてもよい。
ＭＦ操作環３２は、交換レンズ３０の外周部に回転自在に設けられた円筒状の部材である。ＭＦ操作環３２は、撮影者が手動（マニュアル）でフォーカスレンズ３１を移動するために操作される。ＭＦ操作環３２の操作力は、カム筒（図示せず）等の駆動力伝達機構を介して、フォーカスレンズ３１に伝達される。
【００１５】
図２は、第１実施形態のファインダ１７をのぞいたときに観察される表示部４０のイメージ図である。
表示部４０は、スクリーン１５に結像した像を観察するスクリーン表示エリア４１と、ＭＦモード時の焦点情報を表示する焦点情報表示エリア４５とから構成される。
スクリーン表示エリア４１は、四角形の複数のフォーカスエリア４２を有する。フォーカスエリア４２は、撮影画角内のフォーカス位置を示すものである。フォーカスエリア４２は、フォーカスエリア選択キー１２により選択が可能である。選択されたフォーカスエリア４２は、発光ダイオード等の光線が導光されて点灯表示される。
【００１６】
焦点情報表示エリア４５は、液晶表示装置等の表示装置の表示画面である。焦点情報表示エリア４５は、ＭＦモード選択時に、スクリーン表示エリア４１の下側に並べて表示される。焦点情報表示エリア４５は、焦点情報バー４６を表示する。
焦点情報バー４６は、目盛内部を点灯表示することにより、焦点がどの程度ずれているかを、段階的に分かりやすく報知できる。焦点情報バー４６の中心４６ａは、焦点が最も合っている状態を示す。焦点情報バー４６の中心４６ａよりも左側の部分４６ｂは、前ピン傾向（被写体の手前側に合焦している傾向）であることを示す。焦点情報バー４６の中心４６ａよりも右側の部分４６ｂは、後ピン傾向（被写体の後側に合焦している傾向）であることを示す。
【００１７】
焦点情報バー４６は、フォーカスエリア選択キー１２により異なるフォーカスエリア４２が選択されると、表示が更新される。また。デフォーカス量の判断がつかない場合、焦点情報バー４６には、何も表示されない状態となる。
【００１８】
図３は、カメラ１０の動作を示すフローチャートである。
最初にステップ（以下「Ｓ」という）１において、撮影者がカメラ１０の電源を入れて、フォーカスモード選択ボタン１１を選択することにより、一連の処理が開始される。
Ｓ２において、制御部２１は、フォーカスモード選択ボタン１１の出力に基づいて、ＭＦモードが選択されているか否かを判定する。制御部２１は、ＭＦモードが選択されていると判定した場合には（Ｓ２：ＹＥＳ）、Ｓ３に進んでＭＦモードの処理を行い、一方、ＭＦモードが選択されていないと判定した場合（Ｓ２：ＮＯ）、つまりＡＦモードが選択された場合には、Ｓ１１に進んでＡＦモードの処理を行う。
【００１９】
（ＭＦモード）
Ｓ３において、ＭＦ制御部２１ｂは、ＭＦモードの表示部４０を表示する（図２参照）。
このとき、ＭＦ制御部２１ｂは、選択されているフォーカスエリア４２を点灯表示する。選択されているフォーカスエリア４２は、例えば、以前の撮影時に選択されたフォーカスエリア４２を記憶部に記憶しておき、これを選択すればよい。又は、ＭＦ制御部２１ｂが中央のフォーカスエリア４２を選択するように、初期設定しておいてもよい。
Ｓ４において、デフォーカス量算出部２１ａは、デフォーカス量検出器２０の出力に基づいて、選択されたフォーカスエリア４２の焦点状態を算出する。
Ｓ５において、ＭＦ制御部２１ｂは、デフォーカス量算出部２１ａが算出した焦点状態を反映して、焦点情報バー４６を表示する。
【００２０】
Ｓ６において、ＭＦ制御部２１ｂは、フォーカスエリア選択キー１２が操作されたか否かを判定する。ＭＦ制御部２１ｂは、フォーカスエリア選択キー１２が操作されたと判定した場合には（Ｓ６：ＹＥＳ）、Ｓ６ａに進み、一方、フォーカスエリア選択キー１２が操作されていないと判定した場合には（Ｓ６：ＮＯ）、Ｓ７に進む。
Ｓ６ａにおいて、ＭＦ制御部２１ｂは、フォーカスエリア４２を変更する。
例えば、図２に示すように、フォーカスエリア４２ａが選択されている場合に、左側を選択するようにフォーカスエリア選択キー１２が操作された場合には、ＭＦ制御部２１ｂは、フォーカスエリアをフォーカスエリア４２ｂに変更して点灯する。
ＭＦ制御部２１ｂは、フォーカスエリア４２の変更処理が終了すると、Ｓ４からの処理を繰り返す。
【００２１】
Ｓ７において、制御部２１は、レリーズボタン１３が押されたか否かを判定する。制御部２１は、レリーズボタン１３が押されたと判定した場合には（Ｓ７：ＹＥＳ）、Ｓ８に進み、一方、レリーズボタン１３が押されていないと判定した場合には（Ｓ７：ＮＯ）、Ｓ４からの処理を繰り返す。
【００２２】
Ｓ３〜Ｓ７の処理は、撮影者がＭＦ操作環３２を操作している間も、常時行われる。このため、ＭＦ操作環３２が操作されることにより焦点状態が変化した場合であっても、レリーズ操作されない場合には（Ｓ７：ＮＯ）、ＭＦ制御部２１ｂは、焦点状態が変化した後の焦点状態を検出し（Ｓ４）、焦点情報バー４６の表示を更新することになる。これにより、撮影者は、焦点情報バー４６の表示を確認しながら、ＭＦ操作によって、焦点調整できる。
【００２３】
また、フォーカスエリア選択キー１２を操作されることにより（Ｓ６：ＹＥＳ）、ＭＦ制御部２１ｂは、フォーカスエリア４２を変更して（Ｓ６ａ）、変更後のフォーカスエリア４２の焦点状態を検出し（Ｓ４）、焦点情報バー４６の表示を更新することになる（Ｓ５）。このため、撮影者は、フォーカスエリア選択キー１２を操作することにより、撮影画角の中央でもなくても、所望のフォーカスエリア４２を選択でき、所望のフォーカスエリア４２において、ＭＦ操作によって焦点調整できる。
【００２４】
Ｓ８において、制御部２１は、撮影を実行する。つまり、制御部２１は、シャッタ幕を走行して撮像情報を取得して、撮像情報を記憶部に記憶する。
Ｓ９において、制御部２１は、電源ボタン（図示せず）が操作されること等により、カメラ１０の電源がＯＦＦにされたか否かを判定する。制御部２１は、電源がＯＦＦにされたと判定した場合には（Ｓ９：ＹＥＳ）、Ｓ１０に進んで処理を終了し、一方、電源がＯＦＦにされていないと判定した場合には（Ｓ１０：ＮＯ）、Ｓ１からの処理を繰り返す。
【００２５】
（ＡＦモード）
Ｓ１１〜Ｓ１４の処理は、ＡＦモードが選択された場合（Ｓ１：ＮＯ）の処理である。
Ｓ１１において、デフォーカス量算出部２１ａは、デフォーカス量検出器２０の出力に基づいて、焦点状態を検出する。なお、この場合のフォーカスエリア４２は、カメラ１０が自動で選択したものであっても、撮影者がフォーカスエリア選択キー１２を操作して選択したものであってもよい。
Ｓ１２において、制御部２１は、デフォーカス量算出部２１ａが算出したデフォーカス量に基づいて、フォーカスレンズ駆動モータ３３を制御して、合焦状態になるように、フォーカスレンズ３１を駆動する。
Ｓ１３において、デフォーカス量算出部２１ａは、合焦状態になったか否かを判定する。デフォーカス量算出部２１ａは、合焦状態になったと判定した場合には（Ｓ１３：ＹＥＳ）、Ｓ８に進んで、ＭＦモードと同様に、レリーズ操作に応じて、撮影実行の処理を行う。一方、デフォーカス量算出部２１ａは、合焦状態になっていないと判定した場合には（Ｓ１３：ＮＯ）、Ｓ１１からの処理を繰り返す。
【００２６】
以上説明したように、本実施形態のカメラ１０は、以下の効果を奏することができる。
（１）複数のフォーカスエリア４２を有するＡＦ方式のカメラであっても、ＭＦ操作によって焦点合わせを行うことができる。
【００２７】
（２）撮影者のフォーカスエリア選択キー１２の操作に応じて、複数のフォーカスエリア４２を選択してデフォーカス量を表示するので、撮影画角の中心以外のフォーカスエリア４２を選択した場合であっても、ＭＦ操作によって焦点合わせを行うことができる。これにより、従来のＭＦ操作のような、焦点合わせをフォーカスエリアで行ってから撮影画角を振るといった操作が必要ない。このため、カメラ１０は、コサイン誤差が発生することなく、正確な焦点合わせを行うことができる。
【００２８】
（３）焦点情報バー４６は、被写体の前後へのデフォーカス量を表示するので、いずれの方向にどの程度のデフォーカス量を有しているかを、撮影者に報知できる。これにより、ＭＦ操作時の焦点合わせの失敗を減らし、より確実な撮影をできる。
【００２９】
（第２実施形態）
次に、本発明を適用した第２実施形態について説明する。
なお、以下の説明及び図面において、前述した第１実施形態と同様の機能を果たす部分には、同一の符号又は末尾に同一の符号を付して、重複する説明を適宜省略する。
図４は、第２実施形態のカメラ２１０及び交換レンズ３０の構成を説明する図である。
カメラ２１０は、ミラーを備えないＥＶＦ（Ｅｌｅｃｔｒｏｎｉｃ  Ｖｉｅｗ  Ｆｉｎｄｅｒ）タイプのものである。
【００３０】
カメラ２１０は、フォーカスプレビューボタン２２２を備える。フォーカスプレビューボタン２２２は、後述するように、デフォーカス量を表示するために、撮影者が操作する操作ボタンである。
デフォーカス量算出部２２１ａは、例えば、撮像素子１８が取得した撮像情報のうち、フォーカスエリア２４２（図５参照）に対応する領域のコントラストを解析して、合焦状態を判定する。
表示部２４０は、撮影者がファインダ１７をのぞいたときに観察可能な液晶表示装置等の表示装置である。表示部２４０は、撮像素子１８が取得した撮像画像、絞り値等の撮影条件や、後述するようにフォーカスエリア２４２（図５参照）の焦点状態を表示する。
【００３１】
図５は、第２実施形態のファインダ１７をのぞいたときに観察される表示部２４０のイメージ図である。
図５（ａ）に示すように、表示部２４０は、撮像画像表示エリア２４１、撮影情報表示エリア２４５を有する。
撮像画像表示エリア２４１は、撮像素子１８が取得した撮像画像を表示する表示エリアである。
撮影情報表示エリア２４５は、シャッタスピード、絞り値等の撮影情報を表示する表示エリアである。
【００３２】
カメラ２１０のＭＦモード時の動作について説明する。
（１）図５（ａ）に示すように、ＭＦモード時に、撮影者がフォーカスエリア選択キー１２を操作してフォーカスエリア２４２を選択すると、ＭＦ制御部２２１ｂは、フォーカスエリア選択キー１２の出力に基づいて、選択されたフォーカスエリア２４２を点灯する。
（２）図５（ｂ）に示すように、撮影者がフォーカスプレビューボタン２２２を操作すると、ＭＦ制御部２２１ｂは、選択されたフォーカスエリア２４２近傍の撮像画像を、表示部２４０に拡大表示する。図５（ｂ）は、人物の頭部付近のフォーカスエリア２４２ａが選択され、拡大した場面である。
【００３３】
（３）デフォーカス量算出部２２１ａは、撮像素子１８が取得した撮像情報に基づいて、選択されたフォーカスエリア２４２のデフォーカス量を算出する。
（４）ＭＦ制御部２２１ｂは、デフォーカス量算出部２２１ａが算出したフォーカスエリア２４２のデフォーカス量に基づいて、スプリットプリズムの表示を模したスプリット２４３を表示して、フォーカスエリア２４２を拡大表示する。ＭＦ制御部２２１ｂは、デフォーカス量が大きい程、像のズレ量を大きくする。なお、ＭＦ制御部２２１ｂは、焦点が合うと像のズレをなくして、鮮明に表示する。
【００３４】
以上説明したように、カメラ２１０は、スプリットイメージを模して表示することにより、従来のＭＦ操作のような感覚で焦点を合わせることができる。また、拡大表示することにより、高精度に焦点を合わせることができる。
【００３５】
なお、カメラ２１０は、ＥＶＦタイプのものではなく、カメラ２１０の背面に、撮像素子１８が取得した撮像情報を出力する液晶表示装置等の表示部２４０を備えるものであってもよい。この場合には、表示部２４０としてタッチパネルを備えるものにすれば、タッチパネルの操作に応じて、フォーカスエリア２４２を選択、拡大できる。
この場合には、撮影者が表示部２４０の画像を取り囲むようにタッチすることにより、デフォーカス量算出部２２１ａがその部分の平均的なデフォーカス量を算出して、ＭＦ制御部２２１ｂがその平均的なデフォーカス量を表示部２４０に表示してもよい。
【００３６】
また、カメラ２１０は、スプリットイメージではなく、マイクロプリズムを模して表示してもよい。
さらに、カメラ２１０は、撮像素子１８が取得した撮像情報を解析して、人物の瞳の位置を検出し、瞳の位置に相当する部分をフォーカスエリア２４２として選択してもよい。
【００３７】
（第３実施形態）
次に、本発明を適用した第３実施形態について説明する。
図６は、第３実施形態の表示部３４０のイメージ図である。
第３実施形態のカメラは、第２実施形態のカメラ２１０とほぼ同様であり、動作のみが異なるので、第２実施形態と同様の機能を果たす部分には、同一の符号を付して説明する。
本実施形態のカメラは、ＭＦモードの場合に、撮影者がフォーカスプレビューボタン２２２を押すと、デフォーカス量算出部２２１ａは、撮像素子１８の取得画像の全領域の焦点状態を算出する。
【００３８】
ＭＦ制御部２２１ｂは、表示部３４０に、撮像素子１８の取得画像に重ねて、デフォーカス量が小さい程濃淡が濃くなりデフォーカス量が大きくなるに従って濃淡が薄くなるような色彩の模様３４７を表示する。
図６（ａ）の場面は、人物３４６の頭部に合焦し、頭部から離れるに従ってデフォーカス量が大きくなっている状態である。このため、フォーカスプレビューボタン２２２が操作されると、図６（ｂ）に示すように、ＭＦ制御部２２１ｂは、頭部の濃淡を濃く表示し、頭から離れるに従って連続的に濃淡が薄くなるような模様３４７を表示する。なお、濃淡が表示されていない領域は、デフォーカス量が大きすぎる領域である。
【００３９】
これにより、撮影者は、ＭＦ操作環３２を手動で調整し、焦点が合う位置が画面上を移動することを確認し、合焦させたい位置に焦点が移っていることを確認して撮影を実行できる。
なお、本実施形態のカメラは、前ピン傾向及び後ピン傾向に応じて濃淡の色彩を変えるようにすれば、前ピン傾向か後ピン傾向かを報知できる。
【００４０】
以上、本発明の実施形態について説明したが、本発明は前述した実施形態に限定されるものではなく、後述する変形形態のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００４１】
（変形形態）
実施形態において、光学機器は、レンズ交換式のカメラ１０である例を説明したが、これに限定されない。例えば、光学機器は、コンパクトカメラのように、レンズ交換ができない、レンズ鏡筒一体式のカメラであってもよい。
【符号の説明】
【００４２】
１０，２１０…カメラ    １１…フォーカスモード選択ボタン    １２…フォーカスエリア選択キー    １５…スクリーン    １８…撮像素子    ２０…デフォーカス量検出器    ２１…制御部    ２１ａ，２２１ａ…デフォーカス量算出部    ２１ｂ，２２１ｂ…ＭＦ制御部    ３１…フォーカスレンズ    ３２…ＭＦ操作環    ３３…フォーカスレンズ駆動モータ    ４２，２４２…フォーカスエリア    ４５…焦点情報表示エリア    ４６…焦点情報バー    ２２２…フォーカスプレビューボタン    ４０，２４０，３４０…表示部    ２４３…スプリット
【図１】
2013178324.tif 000003
【図２】
2013178324.tif 000004
【図３】
2013178324.tif 000005
【図４】
2013178324.tif 000006
【図５】
2013178324.tif 000007
【図６】
2013178324.tif 000008